(57)【特許請求の範囲】
【請求項１】
水の吐出口部から流入した水に空気導入部における空気の出口の開口から導入された空気を混入させて気泡混入水とし、前記気泡混入水を流出するノズルに設けられる、逃し部材であって、
前記空気導入部における空気の出口の開口よりも下流側に配置され、前記ノズル内を上流側に逆流しようとする気泡混入水を前記ノズル外へ逃すように流出させる、逃し孔を備える、逃し部材。
【請求項２】
水の吐出口部から流入した水に空気導入部における空気の出口の開口から導入された空気を混入させて気泡混入水とし、前記気泡混入水を流出するノズルであって、
前記空気導入部における空気の出口の開口よりも下流側に配置され、前記ノズル内で上流側に逆流しようとする気泡混入水を前記ノズル外へ逃すように流出させる、逃し孔を備える逃し部材が設けられる、ノズル。
【請求項３】
水の吐出口部から流入した水に空気導入部における空気の出口の開口から導入された空気を混入させて気泡混入水とし、前記気泡混入水を流出するノズルであって、
前記空気導入部における空気の出口の開口よりも下流側に配置され、前記ノズル内で上流側に逆流しようとする気泡混入水を前記ノズル外へ逃すように流出させる、逃し孔を備える、ノズル。
【発明の詳細な説明】
【技術分野】
【０００１】
本発明は、水の流出口から流入した水に空気導入部における空気の出口の開口から導入された空気を混入させて気泡混入水とし、前記気泡混入水を流出するノズル、および、前記ノズルに設けられる逃がし部材、の技術に関する。
【背景技術】
【０００２】
水の流出口から流入した水に空気導入部における空気の出口の開口から導入された空気を混入させて気泡混入水とし、前記気泡混入水を流出するノズルは公知となっている（特許文献１参照）。
このようなノズルでは、例えば、その流出口から流出する気泡混入水を洗浄対象物に直接噴射して、水流の強さに加えて気泡混入水内の気泡による洗浄効果によってこれを洗浄する。
【先行技術文献】
【特許文献】
【０００３】
【特許文献１】特開昭５２−９４５１３号公報
【発明の概要】
【発明が解決しようとする課題】
【０００４】
しかしながら、ノズルの流出口を洗浄対象物に近接させて気泡混入水を流出させた際に、流出口と洗浄対象物との距離が短すぎて、気泡混入水が、ノズルの流出口から流出できずにノズル内で滞留して上流側に逆流する場合がある。
そして、前記ノズル内で逆流する気泡混入水が、空気導入部における空気の出口から空気導入部に流入して、空気導入部が当該気泡混入水で詰ってしまう場合がある。
このような場合、前記ノズルでは、空気導入部における空気の出口の開口から空気が導入されなくなり、水の流出口から流入した水に空気を混入させることができず、気泡混入水を流出できない、という問題があった。
【０００５】
本発明は以上の如き状況に鑑みてなされたものであり、ノズルの流出口を洗浄対象物に近接させて気泡混入水を流出させた際に、気泡混入水がノズル内で逆流しようとする場合においても、より確実に、水の吐出口部から流入した水に空気を混入させて気泡混入水とし、流出口から当該気泡混入水を流出することができるものを提供することを課題とする。
【課題を解決するための手段】
【０００６】
本発明の解決しようとする課題は以上の如くであり、次にこの課題を解決するための手段を説明する。
【０００７】
即ち、請求項１においては、水の吐出口部から流入した水に空気導入部における空気の出口の開口から導入された空気を混入させて気泡混入水とし、前記気泡混入水を流出するノズルに設けられる、逃し部材であって、前記空気導入部における空気の出口の開口よりも下流側に配置され、前記ノズル内を上流側に逆流しようとする気泡混入水を前記ノズル外へ逃すように流出させる、逃し孔を備えるものである。
【０００８】
請求項２においては、水の吐出口部から流入した水に空気導入部における空気の出口の開口から導入された空気を混入させて気泡混入水とし、前記気泡混入水を流出するノズルであって、前記空気導入部における空気の出口の開口よりも下流側に配置され、前記ノズル内で上流側に逆流しようとする気泡混入水を前記ノズル外へ逃すように流出させる、逃し孔を備える逃し部材が設けられるものである。
【０００９】
請求項３においては、水の吐出口部から流入した水に空気導入部における空気の出口の開口から導入された空気を混入させて気泡混入水とし、前記気泡混入水を流出するノズルであって、前記空気導入部における空気の出口の開口よりも下流側に配置され、前記ノズル内で上流側に逆流しようとする気泡混入水を前記ノズル外へ逃すように流出させる、逃し孔を備えるものである。
【発明の効果】
【００１０】
本発明の効果として、以下に示すような効果を奏する。
【００１１】
即ち、本発明によれば、ノズルの流出口を洗浄対象物に近接させて気泡混入水を流出させた際に、気泡混入水がノズル内で逆流しようとする場合においても、より確実に、水の吐出口部から流入した水に空気を混入させて気泡混入水とし、流出口から当該気泡混入水を流出することができる。
【図面の簡単な説明】
【００１２】
【図１】本発明の実施形態に係る逃し部材およびノズルを分解した状態を示した正面図。
【図２】本発明の実施形態に係る逃し部材およびノズルを分解した状態を示した側面断面図。
【図３】本発明の実施形態に係る逃し部材およびノズルを示した縦断面図。
【図４】本発明の実施形態に係るノズルの接続部材についてのＡ−Ａ断面図。
【図５】本発明の実施形態に係るノズルの絞り部材を示した平面図。
【図６】本発明の実施形態に係る逃し部材についてのＢ−Ｂ断面図。
【図７】本発明の実施形態に係る逃し部材およびノズルを示した縦断面図。
【図８】本発明の実施形態に係る逃し部材およびノズルを示した縦断面図。
【発明を実施するための形態】
【００１３】
次に、本発明の実施形態に係るノズル１について、図１から図８を用いて説明する。なお、図中において示す矢印Ａは、ノズル１内に流入する水の流入方向を示すものとして説明する。
【００１４】
ノズル１は、水の流出口からノズル１に流入した水に空気を混入させて気泡混入水として、当該気泡混入水を流出するものである。
また、ノズル１は、図１乃至図３に示すように、全体的に略筒状に形成され、流入部１１と、絞り部１２と、空気導入部１３と、流出口１４と、逃し孔１５と、を備える。
【００１５】
ノズル１の流入部１１は、水の流出口に接続されて、当該水の流出口からの水がノズル１内に流入する部分である。
ここで、水の流出口は、蛇口に接続されたホースにおける水の吐出口部２であるものとして説明する。なお、ノズル１の流入部１１は、水の流出口をシャワーや蛇口として、これに直接接続される構成であってもよい。
【００１６】
ノズル１の絞り部１２は、流入部１１からノズル１内に流入した水の流れを絞って水の流速を増加させる部分である。ノズル１の絞り部１２は、流入部１１よりも下流側に配置される。ノズル１は、絞り部１２から下流側へ流出する水の流速が、絞り部１２の上流側よりも増加するように構成される。
【００１７】
ノズル１の空気導入部１３は、絞り部１２から下流側へ流出する水（水の流出口から流入した水）に空気が吸引されて当該空気に混入され、これが気泡混入水となるように、ノズル１内に空気を導入する部分である。
ノズル１の空気導入部１３は、ノズル１外から、ノズル１における絞り部１２の下流側部分近傍に空気を導入する。ノズル１の空気導入部１３における空気の出口の開口は、ノズル１内における絞り部１２の下流側部分近傍に形成される。ノズル１内には、空気導入部１３における空気の出口の開口から空気が導入される。
【００１８】
ノズル１の流出口１４は、前記ノズル１に流入した水に空気が混入された気泡混入水を流出するものである。
【００１９】
このようにして、ノズル１は、水の流出口から流入した水に空気導入部１３における空気の出口の開口から導入された空気を混入させて気泡混入水とし、流出口１４から気泡混入水を流出するように構成される。
また、ノズル１では、その流出口１４から流出する気泡混入水を、洗浄対象物（例えば、皮膚、穀物、野菜、金属製部材、樹脂製部材、または、建造物等）に直接噴射したり、その流出口１４を水中に配置して当該流出口１４から流出する気泡混入水で作出される水流内に洗浄対象物を入れたりして、洗浄対象物の表面に気泡混入水を接触させる。そして、前記気泡混入水に接触した洗浄対象物は、気泡混入水内の気泡による洗浄効果によって洗浄されることとなる。
【００２０】
ノズル１の逃し孔１５は、ノズル１の流出口１４から流出できずにノズル１内で滞留して上流側に逆流しようとする気泡混入水を、ノズル１外へ逃すように流出させるものである。
ノズル１の逃し孔１５は、空気導入部１３における空気の出口の開口よりも下流側に配置される。ノズル１の逃し孔１５は、流出口１４よりも上流側に配置される。
ノズル１の逃し孔１５は、ノズル１内とノズル１外とを連通するように形成される。
【００２１】
このように逃し孔１５を備えて構成されるノズル１では、前記ノズル１内で上流側に逆流しようとする気泡混入水が、空気導入部１３における空気の出口に至る前に、当該気泡混入水を、逃し孔１５からノズル１外へ逃すように流出させることができる。
したがって、ノズル１によれば、前記ノズル１内で逆流しようとする気泡混入水が空気導入部１３における空気の出口から空気導入部１３に流入すること、を防止することができる。
よって、ノズル１によれば、ノズル１の流出口１４を洗浄対象物に近接させて気泡混入水を流出させた際に、気泡混入水がノズル１内で逆流しようとする場合においても、より確実に、水の流出口から流入した水に空気を混入させて気泡混入水とし、流出口１４から当該気泡混入水を流出することができる。
【００２２】
次に、ノズル１の具体的構成について説明する。
ノズル１は、図１乃至図３に示すように、接続部材２０と、絞り部材３０と、ケース５０と、を備え、逃し部材６０が設けられて構成される。
【００２３】
ノズル１の接続部材２０は、図１乃至図４に示すように、その上流側端が開口され、下流側端に底部２０ａを有して、略有底筒状に形成される。
【００２４】
ノズル１の接続部材２０における上流側部２０ｂは、ホースの吐出口部２に接続される部分であり、ホースの吐出口部２に嵌挿可能に構成される。接続部材２０における上流側部２０ｂは、ノズル１の流入部１１として構成される。
なお、ノズル１の接続部材２０における上流側部２０ｂとホースの吐出口部２との接続は、例えば、ホースの吐出口部２をノズル１の接続部材２０における上流側部２０ｂに嵌挿し、ホースの吐出口部２における上流側部２０ｂに嵌挿された部分の外周に筒状のホース留め部材３を嵌装することによっておこなう。ホース留め部材３の外側には、ホース留めカバー４を配置してもよい。
【００２５】
ノズル１の接続部材２０における下流側部２０ｃは、絞り部材３０の上流側端の開口から絞り部材３０内に嵌挿可能に構成される。
ノズル１の接続部材２０における上流側部２０ｂと下流側部２０ｃとの間には、フランジ２１が形成される。ノズル１の接続部材２０におけるフランジ２１は、側方に突出するように形成される。
【００２６】
ノズル１の接続部材２０は、二つの貫通孔２２・２２を有する。
ノズル１の接続部材２０における貫通孔２２・２２は、周方向に１８０度位相をずらすようにして（接続部材２０の軸心を中心に対向する位置に）、その下流側部２０ｃにそれぞれ形成される。ノズル１の接続部材２０における貫通孔２２・２２は、接続部材２０における下流側部２０ｃの外周面から内周面に（半径方向に）貫通するように、それぞれ形成される。
【００２７】
ノズル１の接続部材２０は、二つの切欠き２３・２３を有する。
ノズル１の接続部材２０における切欠き２３・２３は、周方向に１８０度位相をずらすようにして（接続部材２０の軸心を中心に対向する位置に）それぞれ形成される。ノズル１の接続部材２０における切欠き２３は、二つの貫通孔２２・２２のうち一方の貫通孔２２に連通するとともに、その底部２０ａから下流側部２０ｃに亘って底部２０ａの下流側の面および下流側部２０ｃの外周面が切欠かれるようにして形成される。
【００２８】
ノズル１の絞り部材３０は、図１乃至図３、または、図５に示すように、その上流側端が開口され、下流側端に底部３０ａを有して、略有底筒状に形成される。
ノズル１の絞り部材３０における上流側端部には、フランジ３１が形成される。ノズル１の絞り部材３０におけるフランジ３１は、側方に突出するように形成される。
【００２９】
ノズル１の絞り部材３０は、３つの絞り孔３２・３２・３２を有する。
ノズル１の絞り部材３０における絞り孔３２は、ノズル１内に流入した水の流れを絞って水の流速を増加させるものである。ノズル１の絞り部材３０の三つの絞り孔３２・３２・３２で、ノズル１の絞り部１２が構成される。
ノズル１の絞り部材３０における絞り孔３２は、絞り部材３０内から絞り部材３０外に底部３０ａを貫通するように形成される。ノズル１の絞り部材３０の絞り孔３２・３２・３２は、周方向に６０度ずつ位相をずらしてそれぞれ形成される。
ノズル１の絞り部材３０における絞り孔３２の上流側の開口は、絞り部材３０の底部３０ａの中心から側部方向側にずらすように形成される。
ノズル１の絞り部材３０の絞り孔３２・３２・３２におけるそれぞれの下流側の開口は、当該絞り孔３２・３２・３２におけるそれぞれの下流側の開口から流出する三本の水流が一本の筋状の水流となるような位置にそれぞれ形成される。
なお、ノズル１の絞り部材３０の絞り孔３２の数は、三つであることに限定するものではない。
【００３０】
ノズル１の絞り部材３０は、二つの切欠き３３・３３を有する。
ノズル１の絞り部材３０における切欠き３３・３３は、周方向に１８０度ずつ位相をずらすようにして（絞り部材３０の軸心を中心に対向する位置に）、それぞれ形成される。ノズル１の絞り部材３０における切欠き３３・３３は、フランジ３１を含むその外周面の一部が、上端部から下端部に亘って絞り部材３０の軸心方向に沿って切欠かれるように、それぞれ形成される。
【００３１】
ノズル１のケース５０は、図１乃至図３に示すように、その上流側端および下流側端がそれぞれ開口する略筒状に構成される。
ノズル１のケース５０は、その上下中途部５０ｂの内径が下流側にいくに従って次第に縮径されて、上流側部５０ａの内経が下流側部５０ｃの内経よりも大きくなるように形成されて構成される。ノズル１のケース５０は、その上下中途部５０ｂが下流側にいくに従って次第に肉厚状となり外側に広がるように形成されて構成される。
ノズル１のケース５０は、その上流側部５０ａ内に絞り部材３０におけるフランジ３１を除く部分を嵌挿可能に構成される。
【００３２】
ノズル１のケース５０は、案内部５１を有する。
ノズル１のケース５０における案内部５１は、気泡混入水が外側に飛散ることを防止し、当該気泡混入水を洗浄対象物側に案内するものである。
ノズル１のケース５０における案内部５１は、その下流側部５０ｃの外周面を囲むように、その上下中途部５０ｂにおける肉厚状に形成される部分の外側端から下流側方向に延出して形成される。
【００３３】
ノズル１のケース５０は、嵌挿溝５２を有する。
ノズル１のケース５０における嵌挿溝５２は、環状の溝であり、その上下中途部５０ｂにおける肉厚状に形成される部分の下方の面（下流側部５０ｃと案内部５１との間）に、下流側方向に開口するように形成される。ノズル１のケース５０における嵌挿溝５２は、ケース５０の半径方向外側に下流側部５０ｃから所定の間隔を空けて配置される。ノズル１のケース５０における嵌挿溝５２は、ケース５０の半径方向内側に案内部５１から所定の間隔を空けて配置される。
【００３４】
ここで、ノズル１では、その絞り部材３０内の上流側部分に、絞り部材３０の上流側端の開口から接続部材２０における下流側部２０ｃが嵌挿される。このとき、ノズル１の絞り部材３０における上流側端部が、接続部材２０におけるフランジ２１に当接するまで、絞り部材３０内に接続部材２０における下流側部２０ｃが嵌挿される。
前記ノズル１の絞り部材３０内に接続部材２０の下流側部２０ｃが嵌挿された状態では、接続部材２０の切欠き２３・２３と絞り部材３０内とが、連通した状態となる。
このようにして、ノズル１の接続部材２０における上流側部２０ｂから流入した水は、その貫通孔２２・２２および切欠き２３・２３を通って絞り部材３０内に流入して、絞り部材３０の絞り孔３２・３２・３２におけるそれぞれの下流側の開口から流出することとなる。
【００３５】
また、ノズル１では、そのケース５０の上流側部５０ａ内に絞り部材３０におけるフランジ３１を除く部分が嵌挿される。このとき、ノズル１のケース５０における上流側端が絞り部材３０におけるフランジ３１に当接するまで、絞り部材３０におけるフランジ３１を除く部分がケース５０の上流側部５０ａ内に嵌挿される。
【００３６】
また、前記ノズル１のケース５０における上流側部５０ａ内に絞り部材３０が嵌挿された状態では、ケース５０の上流側部５０ａの内周面と絞り部材３０の切欠き３３が形成されていない部分の外周面とが当接した状態となるが、ケース５０の上流側部５０ａの内周面と絞り部材３０の切欠き３３が形成された部分の外面との間には空間が形成される。この絞り部材３０における切欠き３３とケース５０の上流側部５０ａの内周面とで形成される空間で、ノズル１の空気導入部１３が構成される。
ノズル１では、絞り部材３０における切欠き３３の上端の開口が、空気導入部１３における空気の入口の開口として構成される。また、ノズル１の絞り部材３０における切欠き３３の下端の開口が、空気導入部１３における空気の出口の開口として構成される。ノズル１のケース５０における下流側の開口（下流側部５０ｃの開口）が、ノズル１の流出口１４として構成される。
【００３７】
このようにして、ノズル１は、絞り部材３０の絞り孔３２・３２・３２におけるそれぞれの下流側の開口から流出した水に、空気導入部１３における空気の出口から導入された空気を混入されて気泡混入水とし、流出口１４から気泡混入水を流出するように構成される。
なお、ノズル１では、絞り部材３０における絞り孔３２・３２・３２におけるそれぞれの下流側の開口から流出した三本の水の水流は一本の筋状の水流となり、流出口１４からも一本の筋状の水流となった気泡混入水が流出する。
【００３８】
また、ノズル１には、図１乃至３、または、図６に示すように、略円筒状に形成される逃し部材６０が設けられる。
逃し部材６０の上流側部６０ａは、ノズル１のケース５０の嵌挿溝５２に嵌挿可能に構成される。逃し部材６０は、これがノズル１に設けられた状態で、逃し部材６０の下流側部６０ｂがケース５０の下流側部５０ｃにおける下流側の開口よりも下流側に突出するように、構成される。
【００３９】
逃し部材６０は、二つの逃し孔１５・１５を有する。
逃し部材６０の逃し孔１５・１５は、周方向に１８０度位相をずらすようにして（逃し部材６０の軸心を中心に対向する位置に）、上下中途部（逃し部材６０の軸心方向中途部）の側部にそれぞれ形成される。逃し部材６０の逃し孔１５・１５は、逃し部材６０の内周面から外周面に貫通するようにそれぞれ形成される。逃し部材６０の逃し孔１５・１５は、逃し部材６０の側部を周方向に略３分の１切欠くように形成される。
【００４０】
ノズル１では、このように構成された逃し部材６０の上流側部６０ａがケース５０の嵌挿溝５２に嵌挿されることによって、逃し部材６０が設けられる。
逃し部材６０がノズル１に設けられた状態では、逃し部材６０の下流側部６０ｂの開口（下流側の開口）は、ケース５０の下流側部５０ｃにおける下流側の開口よりも、下流側に位置する。
このように逃し部材６０がノズル１に設けられることによって、逃し部材６０の下流側の開口は、ノズル１の流出口１４として構成される。またこのように逃し部材６０が設けられることによって、ノズル１は、逃し孔１５を備えることとなる。
【００４１】
ノズル１に設けられた逃し部材６０は、ケース５０の下流側部５０ｃの外側に位置するとともに、ケース５０の案内部５１の内側に位置することとなる。斯かる状態では、逃し部材６０とケース５０の下流側部５０ｃとの間、および、逃し部材６０とケース５０の案内部５１との間に、それぞれ隙間が形成される。
また、逃し部材６０がノズル１に設けられた状態では、逃し部材６０の逃し孔１５・１５は、ケース５０の下流側部５０ｃと案内部５１との間（上下中途部５０ｂにおける肉厚状に形成される部分の下方の下方）に配置にされる。
そして、ノズル１では、逃し部材６０とケース５０の下流側部５０ｃとの間の空間と、逃し部材６０とケース５０の案内部５１との間の空間とが、逃し孔１５・１５を介して連通することとなる。
また、逃し部材６０がノズル１に設けられた状態では、逃し部材６０の逃し孔１５・１５は、ノズル１の空気導入部１３における空気の出口の開口よりも下流側に配置されるともに、流出口１４（逃し部材６０の下流側部６０ｂ）よりも上流側に配置されることとなる。
このように逃し孔１５を備える逃し部材６０が設けられて構成されるノズル１では、前記ノズル１内（ケース５０の下流側部５０ｃ内）で滞留して上流側に逆流しようとする気泡混入水は、ケース５０の下流側部５０ｃにおける下流側の開口から逃し部材６０とケース５０の下流側部５０ｃとの間の空間に入り、当該逃し部材６０とケース５０の下流側部５０ｃとの間の空間を介して、逃し部材６０の逃し孔１５からノズル１外（逃し部材６０とケース５０の案内部５１との間の空間）へ流出することとなる（図３に示す矢印「Ｃ」参照）。
【００４２】
つまり、逃し孔１５を備える逃し部材６０が設けられて構成されるノズル１では、前記ノズル１内（ケース５０の下流側部５０ｃ内）で滞留して上流側に逆流しようとする気泡混入水が空気導入部１３における空気の出口に至る前に、当該気泡混入水を、逃し部材６０とケース５０の下流側部５０ｃとの間の空間を介して、逃し部材６０の逃し孔１５からノズル１外（逃し部材６０とケース５０の案内部５１との間の空間）へ逃すように流出させることができる。
したがって、ノズル１によれば、前記ノズル１内で逆流しようとする気泡混入水が空気導入部１３における空気の出口から空気導入部１３に流入すること、を防止することができる。
よって、ノズル１によれば、その流出口１４（逃し部材６０の下流側の開口）を洗浄対象物に近接させて気泡混入水を流出させた際に、気泡混入水がノズル１内で逆流しようとする場合においても、より確実に、水の流出口から流入した水に空気を混入させて気泡混入水とし、流出口１４から当該気泡混入水を流出することができる。
【００４３】
逃し部材６０は、逃し部材６０の下流側の開口に、円筒状のチューブ部材６を設けて構成してもよい（図７参照）。この際、チューブ部材６の下流側の開口は、ノズル１の流出口１４として構成される。
逃し部材６０のチューブ部材６は、洗浄対象物に流出口１４を当接させ当該洗浄対象物を洗浄する場合に、洗浄対象物が傷つくことを防止するためのものであり、例えば、合成ゴム素材で構成される。
【００４４】
また、ノズル１のケース５０は案内部５１を有するので、前記逃し部材６０の逃し孔１５から逃し部材６０とケース５０の案内部５１との間の空間へ流出された気泡混入水は、逃し部材６０とケース５０の案内部５１との間の空間から下流側（洗浄対象物側）に案内されて、案内部５１の下流側端から流出させることができる。
したがって、ノズル１によれば、前記逃し部材６０の逃し孔１５から逃し部材６０とケース５０の案内部５１との間の空間へ流出された気泡混入水が外側に飛散ることを防止して、より確実に当該気泡混入水を洗浄対象物に接触させてこれを洗浄することができる。
【００４５】
ノズル１のケース５０における案内部５１の下流側端部に、下流側に突出するように発泡素材からなる円筒状の発泡部材５を設けて、これを当接させながら洗浄対象物を洗浄してもよい（図８参照）。
【００４６】
また、このようにノズル１に設けられる逃し部材６０では、前記ノズル１内（ケース５０の下流側部５０内）で滞留して上流側に逆流しようとする気泡混入水が空気導入部１３における空気の出口に至る前に、当該気泡混入水を、逃し部材６０とケース５０の下流側部５０ｃとの間の空間を介して、逃し部材６０の逃し孔１５からノズル１外（逃し部材６０とケース５０の案内部５１との間の空間）へ逃すように流出させることができる。
したがって、逃し部材６０によれば、前記ノズル１内で逆流しようとする気泡混入水が空気導入部１３における空気の出口から空気導入部１３に流入すること、を防止することができる。
よって、逃し部材６０によれば、ノズル１の流出口１４（逃し部材６０の下流側の開口）を洗浄対象物に近接させて気泡混入水を流出させた際に、気泡混入水がノズル１内で逆流しようとする場合においても、より確実に、ノズル１に、水の流出口から流入した水に空気を混入させて気泡混入水とさせ、流出口１４から当該気泡混入水を流出させることができる。
【符号の説明】
【００４７】
１    ノズル
１１  流入部
１２  絞り部
１３  空気導入部
１４  流出口
１５  逃し孔
２０  接続部材
３０  絞り部材
５０  ケース
６０  逃し部材
【図１】
0005854496.tif 000002
【図２】
0005854496.tif 000003
【図３】
0005854496.tif 000004
【図４】
0005854496.tif 000005
【図５】
0005854496.tif 000006
【図６】
0005854496.tif 000007
【図７】
0005854496.tif 000008
【図８】
0005854496.tif 000009